(57)【要約】      （修正有）【課題】近代スキーに適したスキーストックを提供する。【解決手段】空気力学的に好ましいスキーストックに関し、地面にスキーストックが沈まないようにする交換可能な手段を方向制御可能に固定する接着剤または粘着剤を減らすように設計される。【選択図】図１
2011078778.tif 000002
【特許請求の範囲】
【請求項１】
スキーストック１であって、前記ストックの一方の端部２の断面は三角形であり、前記ストックのもう一方の端部３の断面が円形であり、前記ストックの断面は、スキーストックに沿って一方の端部からもう一方の端部に向かって徐々に三角形４または円形５の断面となり、前記ストックの一方の端部からの一点には、直前および直後の部分とは直径がわずかに異なる直径変化部６があるスキーストック。
【請求項２】
前記直径変化部は、前記スキーストックの円形断面部に設置される請求項１に記載のスキーストック。
【請求項３】
前記ストックは、前記スキーストックの形状に対して望ましい方向にリングまたはスノーガードシステムを取り付けて固定し、正しい位置に設置する手段を更に組み込む請求項１または２に記載のスキーストック。
【請求項４】
望ましい方向にリングを取り付けて固定する前記手段は、前記ストックの一方の端部の直径方向に設置される少なくとも１つのスロットである請求項３に記載のスキーストック。
【請求項５】
前記ストックの外径は、前記ストックの一方の端部からストックのもう一方の端部に向かって徐々に減少する請求項１〜４のいずれか１項に記載のスキーストック。
【請求項６】
前記スキーストックの外径は、前記スキーストックの三角形断面端部２から円形断面端部３に向かって減少する請求項１〜５のいずれか１項に記載のスキーストック。
【請求項７】
前記ストックは中空である請求項１〜６のいずれか１項に記載のスキーストック。
【請求項８】
地面に対するストックの摩擦性を高める手段は、前記ストックの一方の端部に組み込まれる請求項１〜７のいずれか１項に記載のスキーストック。
【発明の詳細な説明】
【技術分野】
【０００１】
本発明は、スキーストックに関する。詳しくは、本発明は空気力学的に有利なスキーストックに関する。
【背景技術】
【０００２】
何世紀にもわたって、スキー板とともにスキーストックが使用され、主にスキーをするとき、スキーヤーがバランスを維持し、前進するための牽引力を得るのに有用である。約２００年前、近代スキーが初期段階にあったとき、ストックが１本で使用されることが多かった。しかし、近代スキーでは、滑降スキーおよびクロスカントリースキーにはストックが２本使用される。
【０００３】
近代スキーは絶えず発展していることから、このスポーツをさらに進展させるために新たに改善したスキー用具の開発に焦点が置かれている。スキーヤーがそれぞれの手でストックを持つため、１９世紀の１本で使用するタイプのものから今日の軽量のものへとスキーストックが根本的に形を変えてきた。
【０００４】
従来、典型的なクロスカントリースキーおよび滑降スキーに用いるスキーストックは、グリップと、雪にストックが沈みすぎないようにするリングまたはスノーガードと、牽引力を確実にする下端部のスパイクとを取り付けた環状の中空管である。これは、今日の最新のスキーストックのほとんどに用いられる一般設計である。しかし、スキースポーツが絶えず発展していることから、さらにスキースポーツに適した新しいスキーストックを提供するために解決方法を改善することが絶えず追求され、要求されてきている。
【先行技術文献】
【特許文献】
【０００５】
【特許文献１】旧ソ連国特許第１７８２１７３号明細書
【特許文献２】ノルウェー国特許第３０００３２号明細書
【特許文献３】米国特許出願公開第２００３／０２２７１６７（Ａ１）号明細書
【特許文献４】米国特許第５５０５４９２号明細書
【発明の概要】
【発明が解決しようとする課題】
【０００６】
そこで、本発明の目的は、当該分野で知られているスキーストックよりもさらに近代スキーに適したスキーストックを提供することにある。これは、本願特許請求の範囲に記載するスキーストックによって達成される。
【課題を解決するための手段】
【０００７】
一実施形態では、本発明はスキーストック１に関し、前記ストックの一方の端部の断面は三角形２であり、前記ストックのもう一方の端部の断面は円形３であり、前記ストックの断面は、スキーストックに沿って一方の端部からもう一方の端部に向かって三角形４または円形５に徐々に変形する。好ましくは、スキーストックの上端部は三角形４断面を有し、スキーストックの下端部は円形５断面を有する。
【０００８】
別の実施形態では、本発明によるスキーストック１は、前記ストックの外径がストックの一方の端部からもう一方の端部に向かって徐々に減少するものであってよい。また、本発明のスキーストックは、前記スキーストックの両端部間の一点で最大外径を有してもよい。
【０００９】
さらに別の実施形態では、本発明によるスキーストック１は、三角形断面端部２で最大外径を有してもよく、スキーストックの外径は、この三角形断面端部２の遠端部から本発明のスキーストックの円形断面端部３に向かって徐々に減少してもよい。
【００１０】
別の実施形態では、本発明によるスキーストック１は中空であってよい。また、本発明のスキーストックは、中空コア８で作製されてもよい。詳細な実施形態では、中空コア８の断面は、本発明のスキーストック１の全長方向にわたって円形であってよい。しかし、中空コア８は、本発明のスキーストックの長手方向にわたって、たとえば長斜方形、三角形、長方形、正方形、五角形、六角形をはじめとする幾何学形状の断面を有してもよく、このような幾何形状を組み合わせた形状の断面を有してもよい。
【００１１】
本発明によるスキーストック１のさらに別の実施形態では、ストックには、スキーストックの一方の端部からの一点で、直前および直後の部分とは直径がわずかに異なる部分６を含めてもよい。好ましくは、この直径変化部６は、円形断面３を有するスキーストックの下端部からの一点に配置してもよい。この直径変化部６は、スキーストックがスキー滑走やスキー歩行に使用される場合、リング構造またはスノーガードなど、地面にスキーストックが沈まないようにする交換可能な手段の固定性を高める摩擦性を増大させる機能の役割を果たしてもよい。
【００１２】
一実施形態では、直径変化部６はスキーストックに沿って約５〜４０ｍｍ、好ましくは約１０〜３０ｍｍ、最も好ましくは約１５〜２５ｍｍの長さを有してもよい。直径変化部６は、本発明のスキーストックの一方の端部から約１０〜４０ｍｍ、好ましくは約２０〜３０ｍｍ、最も好ましくは約２２〜２８ｍｍのところに配置してもよい。
【００１３】
上記の実施形態の直径変化部６は、主に摩擦性を高めるように設計される機能であり、リング構造またはスノーガードなどのストッパ手段により、地面にスキーストックが沈まないようにする交換可能な手段を堅固に固定するのに用いられる。ストッパは、地面にスキーストックが沈まないようにする交換可能な手段に適合するように設計され、直径変化部６の摩擦性が増大することによってストッパ機能に有用となる。好ましくは、直径変化部６は、前記直径変化部６の直後および直前の部分の断面の直径より直径が小さくてもよい。しかし、直径変化部６は、前記直径変化部６の直後および直前の部分の断面の直径より直径が大きくてもよい。
【００１４】
本発明のスキーストック１の他の実施形態では、スキーストックの形状に対して望ましい方向に、リング構造またはスノーガードなど、地面にスキーストックが沈まないようにする非対称形状の交換可能な手段を取り付けて固定し、正しい位置に設置する機能を有するようにスキーストックを構成してもよい。本発明の好ましい実施形態では、このような非対称形状の手段を好ましい方向に取り付けて固定する機能は、スキーストックの円形断面端部３に直径方向に設置されるスロット７であってもよい。また、このスロット７は中心部からわずかに外れて配置してもよく、スロットが凹部となる程度に中心から外れて配置してもよい。スロット７は、好ましくは約１〜１０ｍｍ、さらに好ましくは２〜８ｍｍ、最も好ましくは３〜６ｍｍの深さを有してもよい。しかし、この好ましい実施形態のスロット７は、同じ結果を得るために、スロットと同じ領域に設置されるか、この領域のスキーストック側面に沿って設置されるスキーストックの１または複数のリップなどの他の機能と置き換えてもよいことが意図される。また、２つ以上のスロットによって同じ結果を得ることも可能である。
【００１５】
本発明のスキーストック１の別の実施形態では、スキーストックは、地面に対するストックの摩擦性を高める手段を組み込んでもよい。スキー滑走またはスキー歩行に使用する場合、地面に面するスキーストックの端部のスパイク構造にスキーストックを取り付けることによって達成してもよい。スパイク構造は、望ましい表面で摩擦性を得るのに必要な材料強度をもたらすあらゆる材料から形成してもよい。
【００１６】
本発明のスキーストックには、従来技術に勝る以下の利点がある。第１には、本発明のスキーストックは形状が実質的に三角形であることによって、スキーストックを握るスキーヤーの方向に対して、ストックがまっすぐ前進する方向から押し出されてしまう問題を回避する。
【００１７】
従来のように管状または楕円形状に形成されたスキーストックでは、スキーヤーがストックを前方に押して振り子運動させると抗力および／または揚力が生成し、スキーストックは、この抗力／揚力によって左または右に外れる。正確な振り子運動から外れた抗力によって、スキーヤーは、スキーストックの軌道をまっすぐ前進する方向に修正するのに不要な力を用いることが強いられる。これは、不要かつ余分な力がスキーヤーの前進運動に寄与しないことから、クロスカントリー競技のスキーヤーにとって規定距離にわたり大きく不利となるのも当然である。さらに、滑降競技のスキーヤーにとって、スキーストックは航空機の翼のように振る舞って不安定となり、予想外に振る舞うことによってスキーストックがスキーヤーの妨げとなることがある。また、本発明のスキーストックの実質的に三角形断面形状では、ストックの製造に使用される材料が円形断面のストックより少なくてすむ。その結果、本発明のスキーストックは、同じ材料で作製される実質的に円形断面の類似のスキーストックより重量が軽い。
【００１８】
上に記載するように、本発明のスキーストックは、実質的に三角形の形状によって、スキー滑走にスキーストックを使用する時の抗力を減少させて問題を回避する。スキーストックの断面に対して正しい方向でスキーストックの上端部にグリップを設置することによって、本発明のスキーストックを握るスキーヤーの移動方向の正面前方にストックの三角形の３つの側面のうち１つが向くようになる。本発明の三角形状のスキーストックを正しい方向に向けると、抗力が減少する点で大幅に有利となると判明したのが驚きである。本発明のスキーストックは、新規機能によって軌道修正を必要としないことから、本発明のスキーストックを使用するスキーヤーは、スキーストックをまっすぐ前進方向に振り子運動させるのに余分かつ不要な力を使用する必要性を経験しない。
【００１９】
本発明のスキーストックの第２の利点は、スキーストックの下端部に向かって断面積が徐々に減少していることである。スキーストックがクロスカントリースキーに使用される場合、下端部はスキーヤーにより振り子運動で前方へ移動する。そこで、スキーに使用するとスキーストックの下端部では、角速度が最大となる。物理法則により、スキーストックの下端部に重量が集中すると、スキーヤーはスキーストックを前方に動かす力を増大させる必要がある。その結果、振り子運動でスキーストックを前方へ動かすのに必要な力を極力減らすためには、スキーストックの下端部の重量をできるだけ抑制することが重要である。これは、スキーストックの下端部に向かって徐々に円形断面となる本発明のスキーストックの形状によって達成される。この特徴によって、スキーストックの下端部に用いる材料を少なくすることができ、本発明のスキーストックの下端部の重量は小さく保たれる。
【００２０】
本発明のスキーストックの第３の利点は、リング構造またはスノーガードなど、地面にスキーストックが沈まないようにする交換可能な手段を固定する接着剤や粘着剤を減らすように設計されているということである。従来、スキーストックには、雪にスキーストックが沈み込まないようにするリングまたはスノーガードが取り付けられる。通常、１種類のリングまたはスノーガードを備えたスキーストック１組が製造され、スキーストックに接着するか、別の方法でスキーストックに堅固に固定される。これは、容易に交換できないリングまたはスノーガードとともに、スキーストックが市販されることを意味する。本発明のスキーストックは、接着剤または粘着剤の使用を必要とせず、対称形状または非対称形状のリングまたはスノーガードなど、地面にスキーストックが沈まないようにするさまざまな交換可能な手段を取り付けるように設計されている。さらに、本発明のスキーストックでは、新しい特徴によって、スキーヤーが使用するときに非対称形状のリングまたはスノーガードがスキーストックの動きの意図した方向に対して正しく向くように、非対称形状のリングまたはスノーガードをスキーストックに正確に固定することができる。
【００２１】
スキーストックにリングまたはスノーガードシステムを固定する接着剤を減らすことが、直接決め手となる利点になりうるとは思えない。しかし、スキー競技選手にとって、競争相手より有利な立場に立つために、競争状況で使用する用具の軽量化が好ましく、必要である。このように、本発明のスキーストックで接着剤または粘着剤の必要性を除去することは、空気力学的に好ましい軽重量のスキーストックを提供する本発明の目的に則ったものである。さらに、本発明のスキーストックの底部に接着剤または粘着剤を使用する必要性を排除すると、上に記載したようにスキーストックの底部で角速度が最大となり、最初は素人の目には数グラムの減少にしか見えないが、スキーヤーがスキーストックを操作するのに必要な力にはるかに大きい影響をもたらす。これは、下端部を振り子運動させるために、スキーヤーがスキーストックを上端部から操作し、力を加えるためである。このため、運動量は下端部の質量でなく、ストックの長さに対する下端部の質量となる。スキーヤーにとって、この体感重量は大きくなるため、スキーストックの下端部の重量を減少すると実重量から減少した重量よりスキーストックを操作するのに必要な力がはるかに減少する。
【００２２】
さらに、スキーヤーが望めば、リングまたはスノーガードシステムなど、スキーストックが地面に沈まないようにする手段をいつでも交換できることから、本発明のスキーストックの別の利点が得られる。これにより、スキーヤーは雪の堅さに応じてリングまたはスノーガードシステムを容易に交換することができる。スキーヤーは、本発明のスキーストックにできるかぎり軽量のリングまたはスノーガードシステムを確実に使用することができる。
【００２３】
その結果、本発明のスキーストックの主な３つの利点、空気力学的に有利な形状をなすことと、地面にスキーストックが沈まないようにする交換可能な手段を固定する接着剤または粘着剤を除去することと、地面にスキーストックが沈まないようにする手段を交換可能にすることは、いずれも本発明の目的となり、当該分野で知られているスキーストックより近代スキーに適した好ましいスキーストックをもたらす。本発明のスキーストックは、クロスカントリースキー、滑降スキー、ローラーブレードまたはローラースキー、スキーウォーキングに使用される。
【図面の簡単な説明】
【００２４】
【図１】本発明によるスキーストックの一実施形態を示す図である。
【発明を実施するための形態】
【００２５】
スキーストック１の部分２は、三角形断面４を有し、他方の部分３では断面は円形５であり、部分３には直径変化部６およびスロット７が含まれ、スキーストックは中空であるか、中空コア８を有する。
【図１】
2011078778.tif 000003